(57)【要約】    【課題】  ランナーロック部の台形状のアンダ−カット量が大き過ぎると、ランナーが砕けてしまい、その砕け散ったランナー破片が金型内に残ってしまい、そのランナー破片を手動で取り除くことになり生産性を著しく落としてしまう。  また、ランナーロック部を大きくしてしまうと、ランナーから離脱する際の抵抗が大きくなり、金型開き力の低い成形機ではその型開き動作ができなくなってしまっていた。  一方、ランナーロック部の台形状のアンダ−カット量が少な過ぎるとランナーが固定側型板群に残ってしまい、その残留したランナーを手動で取り除くことになり生産性を著しく落としてしまう。    【構成】  ランナーを一時的に保持するランナーロックピンを有する金型装置であって、前記ランナーロックピンのランナーロック部を開閉自在にした金型装置。【選択図】        図１
2006044063.tif 000002
【特許請求の範囲】
【請求項１】
ランナーを一時的に保持するランナーロックピンを有する金型装置であって、前記ランナーロックピンのランナーロック部を開閉自在にしたことを特徴とする金型装置。
【請求項２】
前記ランナーロック部を複数の分割片から構成したことを特徴とする請求項１記載の金型装置。
【請求項３】
前記複数の分割片から構成されるランナーロック部の内部に、そのランナーロック部に対して相対的に移動するピンを配置したことを特徴とする請求項２に記載の金型装置。
【請求項４】
前記複数の分割片は内方に向け弾性が付与されてなる請求項２或いは、請求項３に記載の金型装置。
【発明の詳細な説明】
【技術分野】
【０００１】
本発明は、成形品と同時に成形されるランナーを、一時的に金型内に保持するランナーロックピンを有する金型装置に関する。
【背景技術】
【０００２】
一般的に、金型装置は固定側型板群と可動側型板群とから構成されており、その固定側型板群と可動側型板群の拡開により、ゲートと成型品の切断・分離が行われるようになっている。そして、そのゲートにはランナー連結されており、これらランナーとゲートは前記固定側型板群で成形されるようになっている。そして、そのランナーは成形後における金型装置からの排出が容易になされるように、ランナーロックピンと称されるピンにより一時的に金型装置に残され、前記固定側型板群と可動側型板群のさらなる拡開により排出されるようになっている。
そのランナーロックピンのランナーロック部の形状としては、直線上のものや表面を荒らしたものもあるが、中間部にアンダーカット部を形成した円錐形状のものが多く、一般的である。
【特許文献１】特開２０００−３７７５６号公報（図１、特に（ｂ））。
【発明の開示】
【発明が解決しようとする課題】
【０００３】
しかしながら、特許文献１に示されているランナーロックピンであっては、外径形状や大きさ如何によっては不具合を起こしてしまう危険性があり、その設計に困難を極めた。つまり、ランナーロック部の台形状のアンダ−カット量が大き過ぎると、ランナーが砕けてしまい、その砕け散ったランナー破片が金型内に残ってしまい、そのランナー破片を手動で取り除くことになり生産性を著しく落としてしまっていた。
また、ランナーロック部を大きくしてしまうと、ランナーから離脱する際の抵抗が大きくなり、前記の悪さに加え、金型開き力の低い成形機ではその型開き動作ができなくなってしまっていた。ここで仮に型開きが行われたとしても、ランナーロック部がランナーから抜けた瞬間に大きな衝撃が作用し、これによって金型装置を破損させてしまう危険性があった。
一方、ランナーロック部の円錐形状のアンダ−カットの量が少な過ぎるとランナーが固定側型板群に残ってしまい、その残留したランナーを手動で取り除くことになり、これまた生産性を著しく落としてしまっていた。
【課題を解決するための手段】
【０００４】
本発明は、ランナーを一時的に保持するランナーロックピンを有する金型装置であって、前記ランナーロックピンのランナーロック部を開閉自在にしたことを要旨とし、そのランナーロック部の形状としては、開閉が可能な複数に分割された分割片から構成するのが特に好ましい。
【発明の効果】
【０００５】
本発明は、ランナーを一時的に保持するランナーロックピンを有する金型装置であって、前記ランナーロックピンのランナーロック部を開閉自在にしたので、金型装置に悪影響を及ぼすことのない設計が容易なランナーロックピンが得られ、これによって生産性に優れた金型装置を提供することができる。
【発明を実施するための最良の形態】
【０００６】
金型装置は、固定側型板群１と可動側型板群２とから構成されている。その固定側型板群１にはスプルプレート３とランナーストリッパプレート４が配置されている。スプルプレート３には後述するランナー溝に樹脂を流入するスプル孔５が形成されている。また、スプルプレート３には、ランナーロックピ６が前後動可能に配置されていると共に、そのランナーロックピン６の後述するランナーロック部を規制、或いは解放し、ランナーロックピン６と相対的に移動するピン７が固定されている。尚、前記ランナーロックピン６は、ランナーストリッパプレート４に形成された隙間８によって移動が可能なものとなっているが、その移動量はごくわずかであが、少なくともランナーロック部の長さ分に相当する移動距離が得られれば良い。
そのランナーロックピン６の先端部はランナーロック部９となっているが、そのランナーロック部９は２分割された分割片９ａ、９ｂからなる構成されているが、３分割、或いは、４分割されたランナーロック部であっても良い。分割数を多くするに従って、良好な作用・効果が得られるが、製作が困難となってしまう。そして、その２分割された分割片９ａ、９ｂからなるランナーロック部９には、ランナーロックピン６内に配置されたピン７矩形部１１が位置している。即ち、分割片９ａ、９ｂ間に形成される隙間に矩形部１１が位置することによって、その隙間への樹脂の流入が防止されているのである。つまり、矩形部１１がランナーロック部９に位置している状態では、従来技術で示したランナーロック部と同様な形状をなしている。尚、ピン７の矩形に限定される必要はなく、その矩形に変え円形としても良いが、前記分割片９ａ、９ｂの内面も円形とするのが好ましい。前述したように、分割片９ａ、９ｂ間に形成される隙間からの樹脂の流入を防止するためである。符号１２は、前記ランナーロックピン６の中間部外面に形成された大径部であって、前記ランナーストリッパプレート４との係合によって、ランナーロックピン６が後退・復帰するようになっている。
【０００７】
一方、前記可動側型板群２には、ランナープレート１３と成形品エジェクタプレート１４、並びに、コアプレート１５が配置されている。前記ランナープレート１３の上面には前記スプル孔５から連通するランナー溝１６と成形品の外形を形成するキャビティー１７、並びに、ランナー溝１６からキャビティー１７に樹脂を流入させるゲート孔１８が形成されている。また、ランナープレート１３は、前記ランナーストリッパープレート４と連結棒１９で連結されており、ランナープレート１３の移動に遅延してランナーストリッパープレート４も移動し得るようになっている。さらに、ランナープレート１３は、前記スプルプレート３に固定された連結棒２０によって、その移動量が規制されている。また、ランナープレート１３は、前記成形品エジェクタープレート１４ともリンク棒２１にとって連結されている。成形品エジェクタープレート１４の移動に遅延してランナープレート１３が移動し得るようになっている。
ここで、前記コアプレート１５には、成形品の内面を形成するコアピン２２が固定されており、また、前記ランナープレート１３を連動するボルト２３を有している。符号２４は、ランナープレート１３をガイドするガイドピンであり、そのガイドピン２４はコアプレート１５に固定されている。
【０００８】
次に動作について説明する。図１に示す状態より、スプルー孔５から樹脂を流し込むと、その樹脂はランナー溝１６並びにゲート孔１８を経て、前記キャビティー１７とコアピンとで形成される隙間に達し、ここで成形品が形成される。成形品の冷却・硬化後、固定側型板群１と可動側型板群２を拡開するが、最初に、ゲート２５と成形品２６が切断・分離される。さらに、固定側型板群１と可動側型板群２との拡開が進行すると、成形品エジェクタプレート１４によってコアピン２２から成形品が突き出されると共に、連結棒１９によってランナーストリッパープレート４が前進移動する。このとき、ランナーロックピン６も隙間８を利用して前進する。ランナーロック部９が未だランナー２７に埋没しているためであり、ランナー２７の前進移動に伴ってランナーロックピン６も移動するのである。しかし、前記ピン７は、スプルプレート３にその後部が固定されているため、移動できず、これによって前記ランナーロック部９の内面には空間部２８が形成される（図５参照）。即ち、ピン７に対してランナーロックピン６が相対的に移動しているのである。ここで、さらに固定側型板群１と可動側型板群２の拡開が進行すると、ランナーロックピン６の移動が規制されているが、ランナーストリッパープレート４が移動するため、ランナー２７はランナーロック部９から抜け出ようとする。このとき、そのランナーロック部９が内方に撓み込み容易に抜け出ることになる（図６→図７参照）。やがて、ランナー２７はランナーロック部９から完全に抜け出て金型から排出される（図８参照）。
【０００９】
次に、復帰（固定側型板群１と可動側型板群２の閉鎖動作）について説明する。固定側型板群１と可動側型板群２の閉鎖動作が開始されると、最初に可動側型板群が順次閉鎖するが、ランナープレート１３がランナーストリッパープレート４に当接すると、そのランナーストリッパープレート４もスプルプレート３に向かって移動するが、このとき、ランナーロックピン６の段部１２に当接し、そのランナーロックピン６も後退する（図９→図１０参照）。やがて固定側型板群１と可動側型板群２との閉鎖が完了すると、ランナーロックピン６も完全に復帰する（図１１参照）。
尚、本例においては、常時は拡開する２分割された分割片９ａ、９ｂを例示したが、各分割片９ａ、９ｂを内方に向け形成しても良い。常時は、ピンによって拡開状態にしておき、ピンを相対的に移動させることによって、拡開状態にある分割片９ａ、９ｂを内方に向け縮径させても良い。成型時には強固にランナーに埋没しているが、分離時にはランナー２７がより容易にランナーロック部９（分割片９ａ、９ｂ）から抜けやすくなる。
【図面の簡単な説明】
【００１０】
【図１】本発明の１例を示す縦断面図。
【図２】図１の要部拡大図。
【図３】図２の要部拡大図。
【図４】図３の右側面図。
【図５】動作を示す要部縦断面図。
【図６】動作を示す要部縦断面図。
【図７】動作を示す要部縦断面図。
【図８】動作を示す要部縦断面図。
【図９】復帰動作を示す要部縦断面図。
【図１０】復帰動作を示す要部縦断面図。
【図１１】復帰動作を示す要部縦断面図。
【符号の説明】
【００１１】
１    固定側型板群
２    可動側型板群
３    スプルプレート
４    ランナーストリッパプレート
５    スプル孔
６    ランナーロックピン
７    ピン
８    隙間
９    ランナーロック部
１１  矩形部
１２  大径部
１３  ランナープレート
１４  成形品エジェクタープレート
１５  コアプレート
１６  ランナー溝
１７  キャビティー
１８  ゲート孔
１９  連結棒
２０  連結棒
２１  リンク棒
２２  コアピン
２３  ボルト
２４  ガイドピン
２５  ゲート
２６  成形品
２７  ランナー
２８  空間部
【図１】
2006044063.tif 000003
【図２】
2006044063.tif 000004
【図３】
2006044063.tif 000005
【図４】
2006044063.tif 000006
【図５】
2006044063.tif 000007
【図６】
2006044063.tif 000008
【図７】
2006044063.tif 000009
【図８】
2006044063.tif 000010
【図９】
2006044063.tif 000011
【図１０】
2006044063.tif 000012
【図１１】
2006044063.tif 000013